(57)【要約】【課題】  省スペース化を実現するとともに、外観及び接続性を向上させ、さらに分岐装置同士の熱的問題を解消する。【解決手段】  開示される宅内ケーブル用ユニット成端箱１では、筐体内に信号伝送形態の異なる複数のケーブルに対応する光接続箱２１、分配器２４及び電話端子台２６を備えている。光接続箱２１、分配器２４及び電話端子台２６は、層状に配置されている。即ち、上層部１ａが電話端子台２６により構成されているとともに、下層部１ｂが光接続箱２１及び分配器２４により構成されている。【選択図】  図１
2008167577.tif 000002
【特許請求の範囲】
【請求項１】
筐体内に信号伝送形態の異なる複数のケーブルに対応する複数の分岐装置を備え、前記複数の分岐装置は、層状に配置されている
ことを特徴とする宅内ケーブル用ユニット成端箱。
【請求項２】
前記複数の分岐装置は、仕切部材により仕切られて層状に配置されている
ことを特徴とする請求項１に記載の宅内ケーブル用ユニット成端箱。
【請求項３】
前記複数の分岐装置は、電源を必要としない分岐装置のみからなる
ことを特徴とする請求項１又は２に記載の宅内ケーブル用ユニット成端箱。
【請求項４】
前記筐体の壁面には、前記複数のケーブルが挿通される貫通孔、前記複数のケーブルの端末に取り付けられたプラグが嵌合するコネクタ又は前記複数のケーブルを固定するためのケーブル固定部のいずれかが設けられている
ことを特徴とする請求項１乃至３のいずれかに記載の宅内ケーブル用ユニット成端箱。
【請求項５】
請求項１乃至４のいずれかに記載の宅内ケーブル用ユニット成端箱と、
前記宅内ケーブル用ユニット成端箱の内部に収容されない他の複数の分岐装置と、
前記宅内ケーブル用ユニット成端箱と前記他の複数の分岐装置とを接続する複数のケーブルと
を備えていることを特徴とする分電盤。
【請求項６】
前記他の複数の分岐装置は、電源を必要とする分岐装置からなる
ことを特徴とする請求項５に記載の分電盤。
【発明の詳細な説明】
【技術分野】
【０００１】
本発明は、宅内ケーブル用ユニット成端箱及び分電盤に関し、特に、テレビ用同軸ケーブル、電話用ケーブル（電話線）又は構内ネットワーク（ＬＡＮ： Local Area Network）用ケーブル等の信号伝送形態の異なる複数のケーブルを一本のケーブルとして集合させた複合ケーブルを用いて配線するのに好適な宅内ケーブル用ユニット成端箱及びこの宅内ケーブル用ユニット成端箱を備えた分電盤に関する。
【背景技術】
【０００２】
近年、マルチメディア通信関係の発展が目覚ましく、複数の部署や企業が入っているビル、集合住宅や一般家庭等の宅内において、各階や各部屋にテレビ、電話、コンピュータの機器が設置され、さらに、一つの部屋の中でこれらの機器が複数箇所に設置されるようになってきている。従来は、テレビ用同軸ケーブル、電話用ケーブル及びＬＡＮ用ケーブル等がそれぞれ個別に配線されていたが、ケーブルからの分岐や配線作業が大変であるとともに、配線関係が入り乱れ、配線について問題が生じた場合には、その問題箇所の切り分けや特定に時間がかかり、迅速な対応処置がとれない状況となるおそれがあった。
【０００３】
そこで、上記状況を改善するために、最近では、テレビ用同軸ケーブル、電話用ケーブル又はＬＡＮ用ケーブル等の各種ケーブルを一本のケーブルとして集合させた複合ケーブルを用いて宅内配線が行われるようになってきている。このような複合ケーブルを用いた分岐配線ユニットには、従来、以下に示すものがあった。即ち、この分岐配線ユニットは、ユニット筐体内に信号伝送形態の異なる複数のケーブルに対応する複数の分岐装置を備え、分岐装置のイン側及びアウト側の双方に複数のケーブルを集合した複合ケーブルを接続して分岐配線する構成をとっている（例えば、特許文献１参照。）。
【０００４】
【特許文献１】特開２００２−２１７７９５号公報 （請求項１，［００１４］〜［００２９］、図２）
【発明の開示】
【発明が解決しようとする課題】
【０００５】
上記した従来の分岐配線ユニットでは、ユニット筐体内に、テレビ用同軸ケーブルが接続される分配器、電話用ケーブルが接続されるチャンプコネクタ（電話端子台）及びＬＡＮ用ケーブルが接続されるハブがいずれも平面的（二次元的）に配設されている。この従来の分岐配線ユニットは、部屋数が多数の集合住宅の場合には、上記特許文献１の段落［００２６］及び［００２７］に記載されているように、従来の分岐配線ユニットを縦続接続したり、配線用複合ケーブルの後段に他の分岐接続ユニットを接続したりする必要がある。従って、省スペース化を図ることができないとともに、外観が見栄えがしないという問題がある。
【０００６】
また、上記した従来の分岐配線ユニットでは、ユニット筐体のサイズに余裕がないため、分岐装置の交換又は追加あるいは配線の切替等のメンテナンスの点で問題がある。さらに、分岐装置の中には、商用電源を必要とするものと必要としないものとがあるが、上記した従来の分岐配線ユニットでは、これらの分岐装置が同一のユニット筐体内に収容されているため、分岐装置同士の発熱又は輻射熱による影響を受けやすいという問題もある。
【０００７】
本発明は、上述した事情に鑑みてなされたものであり、上述のような課題を解決することができる宅内ケーブル用ユニット成端箱及び分電盤を提供することを目的とする。
【課題を解決するための手段】
【０００８】
上記課題を解決するために、請求項１記載の発明に係る宅内ケーブル用ユニット成端箱は、筐体内に信号伝送形態の異なる複数のケーブルに対応する複数の分岐装置を備え、前記複数の分岐装置は、層状に配置されていることを特徴としている。
【０００９】
また、請求項２記載の発明は、請求項１に記載の宅内ケーブル用ユニット成端箱に係り、前記複数の分岐装置は、仕切部材により仕切られて層状に配置されていることを特徴としている。
【００１０】
また、請求項３記載の発明は、請求項１又は２に記載の宅内ケーブル用ユニット成端箱に係り、前記複数の分岐装置は、電源を必要としない分岐装置のみからなることを特徴としている。
【００１１】
また、請求項４記載の発明は、請求項１乃至３のいずれかに記載の宅内ケーブル用ユニット成端箱に係り、前記筐体の壁面には、前記複数のケーブルが挿通される貫通孔、前記複数のケーブルの端末に取り付けられたプラグが嵌合するコネクタ又は前記複数のケーブルを固定するためのケーブル固定部のいずれかが設けられていることを特徴としている。
【００１２】
また、請求項５記載の発明に係る分電盤は、請求項１乃至４のいずれかに記載の宅内ケーブル用ユニット成端箱と、前記宅内ケーブル用ユニット成端箱の内部に収容されない他の複数の分岐装置と、前記宅内ケーブル用ユニット成端箱と前記他の複数の分岐装置とを接続する複数のケーブルとを備えていることを特徴としている。
【００１３】
また、請求項６記載の発明は、請求項５に記載の分電盤に係り、前記他の複数の分岐装置は、電源を必要とする分岐装置からなることを特徴としている。
【発明の効果】
【００１４】
本発明によれば、省スペース化を実現することができるとともに、外観及び接続性が向上し、さらに分岐装置同士の熱的問題を解消することができる。
【発明を実施するための最良の形態】
【００１５】
実施の形態１．
図１は、本発明の実施の形態１に係る宅内ケーブル用ユニット成端箱１の一部内部構成を示す概略斜視図、図２は、図１に示す宅内ケーブル用ユニット成端箱１を構成する下層部１ｂの内部構成を示す概略平面図、図３は、図１に示す宅内ケーブル用ユニット成端箱１を構成する上層部１ａの内部構成を示す概略平面図である。
【００１６】
また、図４は、図１に示す宅内ケーブル用ユニット成端箱１の外部構成を示す図であり、（ａ）は背面図、（ｂ）は左側面図、（ｃ）は平面図、（ｄ）は右側面図、（ｅ）は正面図である。図５は、図１に示す宅内ケーブル用ユニット成端箱１を備えた情報分電盤２の構成を示すブロック図である。
【００１７】
本実施の形態１に係る情報分電盤２は、部屋数が最大８室の集合住宅に設定可能であるものとする。この宅内ケーブル用ユニット成端箱１は、外部からは、図５に示すように、複合ケーブル１０を介して、テレビに関する光信号、インターネットに関する光信号及び電話に関する電気信号が供給されるものとする。即ち、複合ケーブル１０は、テレビに関する光信号及びインターネットに関する光信号をそれぞれ伝送する光ファイバケーブル（幹線）１１と、電話に関する電気信号を伝送する電話用ケーブル（幹線）１２とから構成されている。
【００１８】
上記情報分電盤２は、図５に示すように、光接続箱２１と、ＯＥ変換器２２及び２３と、分配器２４と、ＬＡＮ機器２５と、電話端子台２６とを有している。これらの構成要素のうち、光接続箱２１、分配器２４及び電話端子台２６は、宅内ケーブル用ユニット成端箱１を構成している。また、これらの構成要素のうち、ＯＥ変換器２２及び２３並びにＬＡＮ機器２５には、図示しないが、１００Ｖの商用電源がそれぞれ供給されている。
【００１９】
光接続箱２１は、入力側の光ファイバケーブル（幹線）１１を出力側の光ファイバケーブル１３及び１４に分岐する。即ち、光接続箱２１は、光ファイバケーブル（幹線）１１を介して伝送されたテレビに関する光信号を光ファイバケーブル１３を介してＯＥ変換器２２に伝送するとともに、光ファイバケーブル（幹線）１１を介して伝送されたインターネットに関する光信号を光ファイバケーブル１４を介してＯＥ変換器２３に伝送する。なお、光接続箱２１の基本的な構成については、例えば、特開２００６−１３８８８６号公報を参照されたい。
【００２０】
ＯＥ変換器２２は、光接続箱２１とは光ファイバケーブル１３を介して接続され、分配器２４とはテレビ用同軸ケーブル１５を介して接続されている。ＯＥ変換器２２は、光ファイバケーブル１３を介して伝送されたテレビに関する光信号を電気信号に変換し、この電気信号をテレビ用同軸ケーブル１５を介して分配器２４に伝送する。ＯＥ変換器２３は、光接続箱２１とは光ファイバケーブル１４を介して接続され、ＬＡＮ機器２５とはＬＡＮ用ケーブル１６を介して接続されている。ＯＥ変換器２３は、光ファイバケーブル１４を介して伝送されたインターネットに関する光信号を電気信号に変換し、この電気信号をＬＡＮ用ケーブル１６を介してＬＡＮ機器２５に伝送する。
【００２１】
分配器２４は、テレビ用同軸ケーブル１５を介してＯＥ変換器２２から伝送されたテレビに関する電気信号を分配する。即ち、分配器２４は、テレビ用同軸ケーブル１５を介して伝送されたテレビに関する電気信号をテレビ用同軸ケーブル１７１〜１７７を介して集合住宅を構成する各部屋（各居室）に伝送する。ＬＡＮ機器２５は、例えば、ハブ（hub）等からなり、ＬＡＮ用ケーブル１６を介してＯＥ変換器２３から伝送されたインターネットに関する電気信号を分岐する。即ち、ＬＡＮ機器２５は、ＬＡＮ用ケーブル１６を介して伝送されたインターネットに関する電気信号をＬＡＮ用ケーブル１８１〜１８７を介して集合住宅を構成する各部屋（各居室）に伝送する。電話端子台２６は、電話用ケーブル（幹線）１２を介して外部との間で伝送される電話に関する電気信号を分岐する。即ち、電話端子台２６は、電話用ケーブル（幹線）１２を介して伝送される電話に関する電気信号を電話用ケーブル１９１〜１９７を介して集合住宅を構成する各部屋（各居室）に伝送する。
【００２２】
各テレビ用同軸ケーブル１７１〜１７７、各ＬＡＮ用ケーブル１８１〜１８７及び電話用ケーブル１９１〜１９７は、それぞれ対応する部屋ごとに、一本の複合ケーブル２０１〜２０７に集合されて各部屋のそれぞれの居室に配線されている。なお、テレビ用同軸ケーブル１７１〜１７７、ＬＡＮ用ケーブル１８１〜１８７、電話用ケーブル１９１〜１９７及び複合ケーブル２０１〜２０７をそれぞれ総称するときは、単に、テレビ用同軸ケーブル１７、ＬＡＮ用ケーブル１８、電話用ケーブル１９及び複合ケーブル２０と称する。図６は、テレビ用同軸ケーブル１７、ＬＡＮ用ケーブル１８及び電話用ケーブル１９から構成される複合ケーブル２０の構成の一例を示す断面図である。
【００２３】
本実施の形態１に係る宅内ケーブル用ユニット成端箱１は、図１〜図４に示すように、筐体３１内部において、上層部１ａと下層部１ｂの２層で構成されている。筐体３１は、上ケース３２と下ケース３３とから構成されている。上層部１ａと下層部１ｂとは、仕切板３４及び４本の支柱３５により仕切られている。仕切板３４及び４本の支柱３５は、取り外し可能に構成されている。なお、図１では、３本の支柱３５だけを示している。仕切板３４の上面には、上層部１ａを構成する電話端子台２６が、例えば、ねじ等により固定されている。一方、下ケース３３の上面には、下層部１ｂを構成する光接続箱２１及び分配器２４が、例えば、ねじ等により固定されている。
【００２４】
下ケース３３の正面には、図４（ｅ）に示すように、７本の複合ケーブル２０１〜２０７が挿通される７個の貫通孔３３ａがそれぞれ穿設されている。なお、図１では、１個の貫通孔３３ａ及び１本の複合ケーブル２０だけをそれぞれ示している。また、下ケース３３の背面には、図４（ａ）に示すように、光ファイバケーブル（幹線）１１、電話用ケーブル（幹線）１２及びテレビ用同軸ケーブル１５がそれぞれ挿通される貫通孔３３ｂが穿設されている。
【００２５】
一方、上ケース３２の右側面には、図４（ｄ）に示すように、ＲＪ−４５コネクタ等のＬＡＮモジュラージャックコネクタ３６が７個並列して取り付けられているとともに、ＴＥＬモジュラージャックコネクタ３７が２個並列して取り付けられている。さらに、上ケース３２の右側面には、図４（ｄ）に示すように、２個のＴＥＬモジュラージャックコネクタ３７に隣接して、２個の光アダプタ３８が上下２段に取り付けられている。
【００２６】
７個のＬＡＮモジュラージャックコネクタ３６は、各複合ケーブル２０１〜２０７をそれぞれ構成するＬＡＮ用ケーブル１８１〜１８７とＬＡＮ機器２５とを接続するために設けられている。また、２個のＴＥＬモジュラージャックコネクタ３７は、必要に応じて、電話端子台２６と外部に設けられているＬＡＮ機器２５とを接続するために設けられている。
さらに、２個の光アダプタ３８は、光接続箱２１と外部に設けられているＯＥ変換器２２及び２３とをそれぞれ接続するために設けられている。
【００２７】
図７は、図５に示す情報分電盤２における各構成要素の配線状態を示す概念図である。この情報分電盤２は、木材や金属等からなる板状部材４１の上面に、宅内ケーブル用ユニット成端箱１、ＯＥ変換器２２及び２３、ＬＡＮ機器２５並びにこれらの間を接続する光ファイバケーブル１３及び１４、テレビ用同軸ケーブル１５、ＬＡＮ用ケーブル１６及び１８１〜１８７が取り付けられている。
【００２８】
このように、本発明の実施の形態１によれば、宅内ケーブル用ユニット成端箱１は、筐体３１内部において、仕切板３４及び４本の支柱３５により仕切られた上層部１ａと下層部１ｂの２層で構成されている。上層部１ａは電話端子台２６により構成され、下層部１ｂは光接続箱２１及び分配器２４により構成されている。そして、複合ケーブル１０、光ファイバケーブル（幹線）１１、電話用ケーブル（幹線）１２、テレビ用同軸ケーブル１５及び１７１〜１７７、ＬＡＮ用ケーブル１８１〜１８７並びに電話用ケーブル１９１〜１９７を筐体３１内部に収容及び成端している。
【００２９】
従って、宅内ケーブル用ユニット成端箱１の狭いスペースに各種ケーブルを収容及び成端することができるとともに、光接続箱２１、分配器２４及び電話端子台２６が平面的（二次元的）ではなく、三次元的に設置することができる。これにより、スペースの有効活用が可能となる。
【００３０】
また、本発明の実施の形態１によれば、宅内ケーブル用ユニット成端箱１には、隣接するＯＥ変換器２２及び２３並びにＬＡＮ機器２５等の装置と接続するために、ＬＡＮモジュラージャックコネクタ３６、ＴＥＬモジュラージャックコネクタ３７及び光アダプタ３８が設けられている。また、宅内ケーブル用ユニット成端箱１には、複合ケーブル２０１〜２０７が挿通される貫通孔３３ａがそれぞれ穿設されている。
【００３１】
従って、複雑な配線が宅内ケーブル用ユニット成端箱１の内部に集約されるため、外観が向上するとともに、隣接するＯＥ変換器２２及び２３並びにＬＡＮ機器２５等の装置との接続及び接続変更が単純化、簡略化されるため、成端作業に手間及び時間がかからない。この結果、トータルのコストダウンを図ることができる。
【００３２】
さらに、本発明の実施の形態１によれば、宅内ケーブル用ユニット成端箱１には、商用電源を必要としない光接続箱２１、分配器２４及び電話端子台２６だけが収容され、商用電源を必要とするＯＥ変換器２２及び２３並びにＬＡＮ機器２５は、光接続箱２１、分配器２４及び電話端子台２６とは分離された板状部材４１の上面に取り付けられている。
【００３３】
従って、図８に示すような、情報分電盤を構成するすべての装置及びすべてのケーブルを同一の板状部材５１の上面に実装する場合と比較して、装置同士の発熱又は輻射熱による影響を軽減でき、装置及び配線の信頼性が向上するとともに、装置の交換又は追加等のメンテナンスに柔軟に対応することができる。図８において、図５の各部に対応する部分には同一の符号を付けている。なお、図８では、ＬＡＮ機器２５と電話端子台２６の間の接続は必要に応じて行われるので、ケーブルを２点鎖線で示している。
【００３４】
実施の形態２．
上述の実施の形態１では、宅内ケーブル用ユニット成端箱１は、筐体３１内部において、仕切板３４及び４本の支柱３５により上層部１ａと下層部１ｂとに仕切られる例を示したが、これに限定されない。上層部１ａと下層部１ｂとは、例えば、図９に示すような断面略コ字状を呈する仕切部材６１により仕切るように構成しても良い。このように構成すれば、上述した実施の形態１と略同様の効果を得ることができる。
【００３５】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の各実施の形態では、上層部１ａを電話端子台２６により構成するとともに、下層部１ｂを光接続箱２１及び分配器２４により構成する例を示したが、これに限定されない。要するに、光接続箱２１、分配器２４及び電話端子台２６を三次元的（層状）に設置すれば良いのであるから、これらの少なくとも１個により上層部１ａを構成するとともに、他の装置により下層部１ｂを構成するようにすれば良い。
【００３６】
また、上述の各実施の形態では、宅内ケーブル用ユニット成端箱１を構成する筐体３１の壁面にＬＡＮモジュラージャックコネクタ３６、ＴＥＬモジュラージャックコネクタ３７及び光アダプタ３８を設ける例を示したが、これに限定されない。例えば、宅内ケーブル用ユニット成端箱１の内部に収容された各装置と、宅内ケーブル用ユニット成端箱１の外部に設置された各装置とを接続するための各種ケーブルが挿通される貫通孔だけを形成したり、これら各種ケーブルをクランプするケーブルクランプ等の対応するケーブルを固定するためのケーブル固定部を設けても良い。一方、貫通孔３３ａ及び３３ｂに換えて、複合ケーブル２０の端末に取り付けられたプラグ等が接続されるコネクタ又は複合ケーブル２０が挿通されるケーブルクランプ等のケーブル固定部を設けても良い。この場合、貫通孔３３ａ及び３３ｂも含めた上記貫通孔、各種コネクタ及びケーブル固定部においては、各種ケーブルに関してそれぞれ所定の張力特性を確保する必要がある。
【００３７】
また、上述の各実施の形態では、宅内ケーブル用ユニット成端箱１及び情報分電盤２には、配電線に接続された電力用ケーブルを収容及び成端する点については言及していない。しかし、複合ケーブルの中には、電力用ケーブルが含まれているものがある。従って、本発明は、このような複合ケーブルを用いる場合にも適用することができる。この場合、情報分電盤の上位概念として、単に、「分電盤」と呼ぶことができる。
【００３８】
また、上述の各実施の形態では、複合ケーブル１０及び２０１〜２０７を用いる例を示したが、これに限定されない。本発明は、宅内ケーブル用ユニット成端箱１の筐体３１内にテレビ用同軸ケーブル、電話用ケーブル及びＬＡＮ用ケーブル等の信号伝送形態の異なる複数のケーブルに対応する複数の分岐装置を備え、複数の分岐装置を層状に配置することに特徴があるのである。従って、本発明は、上記信号伝送形態の異なる複数のケーブルが集合されることなく個別に、宅内ケーブル用ユニット成端箱１の筐体３１内に収容及び成端される場合にも適用することができる。
【図面の簡単な説明】
【００３９】
【図１】本発明の実施の形態１に係る宅内ケーブル用ユニット成端箱の一部内部構成を示す概略斜視図である。
【図２】図１に示す宅内ケーブル用ユニット成端箱の下層部の内部構成を示す概略平面図である。
【図３】図１に示す宅内ケーブル用ユニット成端箱の上層部の内部構成を示す概略平面図である。
【図４】図１に示す宅内ケーブル用ユニット成端箱の外部構成を示す図であり、（ａ）は背面図、（ｂ）は左側面図、（ｃ）は平面図、（ｄ）は右側面図、（ｅ）は正面図である。
【図５】図１に示す宅内ケーブル用ユニット成端箱を備えた情報分電盤の構成を示すブロック図である。
【図６】複合ケーブルの構成の一例を示す断面図である。
【図７】図５に示す情報分電盤における各構成要素の配線状態を示す概念図である。
【図８】従来の情報分電盤における各構成要素の配線状態を示す概念図である。
【図９】本発明の実施の形態２に係る宅内ケーブル用ユニット成端箱に用いられる仕切部材の外観構成を示す斜視図である。
【符号の説明】
【００４０】
１  宅内ケーブル用ユニット成端箱
１ａ  上層部
１ｂ  下層部
２  情報分電盤
１０，２０１〜２０７  複合ケーブル
１１  光ファイバケーブル（幹線）
１２  電話用ケーブル（幹線）
１３，１４  光ファイバケーブル
１５，１７１〜１７７  テレビ用同軸ケーブル
１６，１８１〜１８７  ＬＡＮ用ケーブル
１９１〜１９７  電話用ケーブル
２１  光接続箱（分岐装置）
２２，２３  ＯＥ変換器（分岐装置）
２４  分配器（分岐装置）
２５  ＬＡＮ機器（分岐装置）
２６  電話端子台（分岐装置）
３１  筐体
３２  上ケース
３３  下ケース
３３ａ，３３ｂ  貫通孔
３４  仕切板
３５  支柱
３６  ＬＡＮモジュラージャックコネクタ
３７  ＴＥＬモジュラージャックコネクタ
３８  光アダプタ
４１，５１  板状部材
６１  仕切部材
【図１】
2008167577.tif 000003
【図２】
2008167577.tif 000004
【図３】
2008167577.tif 000005
【図４】
2008167577.tif 000006
【図５】
2008167577.tif 000007
【図６】
2008167577.tif 000008
【図７】
2008167577.tif 000009
【図８】
2008167577.tif 000010
【図９】
2008167577.tif 000011